【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
入力映像が動画であるか、あるいは静止映像であるかを示す値を外部クロックと別個である内部クロックに同期させ出力する分析器と、
前記入力映像の画質を補償するための映像処理を行うイメージプロセッサであって、入力される前記値に基づいて、前記入力映像が静止映像であるかあるいは動画であるかによって異なる個数のフレームに係わる映像処理を行い、前記値に基づいて全フレームのうち少なくとも一つのフレームに対して映像処理を行い、映像処理されたフレームを第１映像データとして出力する前記イメージプロセッサと、
前記イメージプロセッサから受信した前記第１映像データを保存するメモリと、
を含むことを特徴とする映像処理装置。
【請求項２】
前記分析器は、
前記入力映像の連続したフレームそれぞれに係わる表現値を比較し、第１比較値を出力する第１比較器と、
前記第１比較値が前記入力映像の連続したフレームそれぞれに係わる表現値が同一であるということ示す場合、前記入力映像の連続したフレームが同一であるか否かということを比較し、第２比較値を出力する第２比較器と、
を含むことを特徴とする請求項１に記載の映像処理装置。
【請求項３】
前記入力映像の連続したフレームそれぞれに係わる表現値は、
前記入力映像の連続したフレームそれぞれ、または、前記入力映像の連続したフレームそれぞれのライン、それぞれに係わるチェックサム、データ和、データヒストグラム及びランダムアドレスデータのうち少なくとも一つ以上を示す値であることを特徴とする請求項２に記載の映像処理装置。
【請求項４】
前記入力映像の連続したフレームのうち、先に入力されたフレームに係わる表現値を保存する第１保存手段をさらに具備することを特徴とする請求項２に記載の映像処理装置。
【請求項５】
前記入力映像の連続したフレームが同一であると判断される場合、
前記第２比較器は、
前記入力映像のフレームレートに対応する第１周期の間、前記入力映像の連続したフレームが同一であるか否かということを比較しないことを特徴とする請求項２に記載の映像処理装置。
【請求項６】
前記入力映像の連続したフレームのうち、先に入力されたフレームに係わる判断結果を保存する第２保存手段をさらに具備することを特徴とする請求項１に記載の映像処理装置。
【請求項７】
前記分析器が、前記入力映像が静止映像であると判断した場合、
前記イメージプロセッサは、前記入力映像の最初のフレームのみを映像処理し、前記メモリに伝送することを特徴とする請求項１に記載の映像処理装置。
【請求項８】
前記分析器が、前記入力映像が静止映像であると判断した場合、
前記イメージプロセッサは、前記入力映像の任意の一つ以上のフレームのみを映像処理し、前記メモリに伝送することを特徴とする請求項１に記載の映像処理装置。
【請求項９】
前記分析器が、前記入力映像が動画であると判断した場合、
前記イメージプロセッサは、前記入力映像の全フレームを映像処理し、第２映像データとして生成し、前記第２映像データを、前記メモリに代えて外部のディスプレイ装置に出力することを特徴とする請求項１に記載の映像処理装置。
【請求項１０】
前記分析器が、前記入力映像が動画であると判断した場合、
前記分析器は、動画について設定された最小フレーム単位に対応する第２周期の間、前記入力映像が動画であるか、あるいは静止映像であるかということを判断しないことを特徴とする請求項１に記載の映像処理装置。
【請求項１１】
前記分析器の判断結果に応答し、前記メモリに保存された前記第１映像データ、及び前記メモリに保存されず、前記イメージプロセッサから直接出力される第２映像データのうちいずれか一つを、前記入力映像に係わる出力データとして出力する出力部をさらに具備することを特徴とする請求項１に記載の映像処理装置。
【請求項１２】
前記分析器が、前記入力映像が静止映像であると判断した場合、前記メモリは、前記映像処理装置の出力データのフレームレートに対応してリフレッシュを行い、前記第１映像データを反復的に出力することを特徴とする請求項１に記載の映像処理装置。
【請求項１３】
前記メモリは、前記入力映像の各フレームより小さいサイズに具備され、
前記映像処理装置は、
前記第１映像データを圧縮するエンコーダと、
圧縮され、前記メモリに保存された前記第１映像データを前記入力映像に係わる出力データにデコーディングするデコーダと、
をさらに含むことを特徴とする請求項１に記載の映像処理装置。
【請求項１４】
前記外部クロック及び入力データは、
前記映像処理装置が含まれる移動端末のアプリケーションプロセッサの制御によって、入力されることを特徴とする請求項１に記載の映像処理装置。
【請求項１５】
映像処理装置であって、
前記映像処理装置の外部から前記入力映像を受信するインターフェースと、
入力される前記入力映像が動画であるか、あるいは静止映像であるかを示す値を出力する分析器と、
前記入力映像の画質を補償するための映像処理を行う前記イメージプロセッサであって、入力される前記値に基づいて、前記入力映像が静止映像であるかあるいは動画であるかによって異なる個数のフレームに係わる映像処理を行う前記イメージプロセッサと、
前記入力映像が静止映像である場合、前記イメージプロセッサから受信した映像処理されたフレームを保存するメモリと、
を含み、
前記入力映像が動画であるか、あるいは静止映像であるかに基づいて、前記入力映像を出力データとして出力するのに所要する電力を異ならせて使用することを特徴とする請求項１に記載の映像処理装置。
【請求項１６】
入力映像データが動画であるか、あるいは静止映像であるかを示す値を出力する分析器と、
前記入力映像データの画質を補償するための処理を行うイメージプロセッサであって、前記値を入力され、前記入力映像データが静止映像であることを前記値が示す場合、前記入力映像データの第１個数のフレームに係る処理を行い、前記入力映像データが動画であることを前記値が示す場合、前記入力映像データの第２個数のフレームに係る処理を行うイメージプロセッサと、
を含み、
前記第１個数のフレームは、前記第２個数のフレームと異なり、
前記イメージプロセッサは、前記処理された前記第１個数のフレームをグラフィックメモリに出力し、前記処理された前記第２個数のフレームを前記グラフィックメモリに保存せず、前記処理された前記第２個数のフレームを出力することを特徴とする装置。
【請求項１７】
前記第１個数のフレームは、前記入力映像データの全フレームより少ないことを特徴とする請求項１６に記載の装置。
【請求項１８】
前記分析器は、
前記入力映像データの連続したフレームの表現値を比較し、前記比較に基づいて第１値を出力する第１比較器と、
前記第１値が、前記連続したフレームの表現値が同一であるということを示す場合、前記入力映像データの前記連続したフレームが同一であるか否かということを比較し、第２値を出力する第２比較器と、
を備えることを特徴とする請求項１６に記載の装置。
【請求項１９】
前記入力映像データの連続したフレームそれぞれに係わる表現値は、
前記連続したフレームのうちいずれか一つに対応するチェックサム、データ和、データヒストグラム及びランダムアドレスデータのうち少なくとも一つを示すことを特徴とする請求項１８に記載の装置。
【請求項２０】
前記入力映像データの連続したフレームが同一である場合、前記第２比較器は、前記入力映像データのフレームレートに対応する第１周期の間に、前記入力映像データの連続したフレームが同一であるか否かということを比較しないことを特徴とする請求項１８に記載の装置。
【手続補正２】
【補正対象書類名】明細書
【補正対象項目名】発明の名称
【補正方法】変更
【補正の内容】
【発明の名称】映像処理装置、及び、装置
【手続補正３】
【補正対象書類名】明細書
【補正対象項目名】０００１
【補正方法】変更
【補正の内容】
【０００１】
本発明は、映像処理装置、及び、装置に係り、特に、映像処理に必要と電力を減らしたり、映像処理に所要する時間を短縮させたり、あるいは映像処理による誤作動を防止したりすることができる映像処理装置、及び、装置に関する。
【手続補正４】
【補正対象書類名】明細書
【補正対象項目名】０００４
【補正方法】変更
【補正の内容】
【０００４】
本発明が解決しようとする課題は、映像処理に所要する電力を減らしたり、映像処理に所要する時間を短縮させたり、あるいは、映像処理における誤作動を防止することができる映像処理装置、及び、装置を提供するところにある。
【手続補正５】
【補正対象書類名】明細書
【補正対象項目名】０００５
【補正方法】変更
【補正の内容】
【０００５】
本発明の映像処理装置は、入力映像が動画であるか、あるいは静止映像であるかを示す値を外部クロックと別個である内部クロックに同期させ出力する分析器と、入力映像の画質を補償するための映像処理を行うイメージプロセッサと、イメージプロセッサから受信した第１映像データを保存するメモリと、を含む。イメージプロセッサは、入力される入力映像が動画であるかあるいは静止映像であるかを示す値に基づいて、入力映像が静止映像であるかあるいは動画であるかによって、異なる個数のフレームに係わる映像処理を行い、前記値に基づいて全フレームのうち少なくとも一つのフレームに対して映像処理を行い、映像処理されたフレームを第１映像データとして出力する。
【手続補正６】
【補正対象書類名】明細書
【補正対象項目名】０００７
【補正方法】変更
【補正の内容】
【０００７】
本明の映像処理装置は、映像処理装置の外部から入力映像を受信するインターフェースと、入力される入力映像が動画であるかあるいは静止映像であるかを示す値を出力する分析器と、入力映像の画質を補償するための映像処理を行うイメージプロセッサであって、入力される入力映像が動画であるかあるいは静止映像であるかを示す値に基づいて前記入力映像が静止映像であるかあるいは動画であるかによって、異なる個数のフレームに係わる映像処理を行うイメージプロセッサと、入力映像が静止映像である場合イメージプロセッサから受信した映像処理されたフレームを保存するメモリと、を含み、入力映像が動画であるかあるいは静止映像であるかに基づいて入力映像を出力データとして出力するのに所要する電力を異ならせて使用する。
また、本発明の装置は、入力映像データが動画であるかあるいは静止映像であるかを示す値を出力する分析器と、入力映像データの画質を補償するための処理を行うイメージプロセッサと、を含む。イメージプロセッサは、入力される入力映像データが動画であるかあるいは静止映像であるかを示す値が入力映像データが静止映像であることを示す場合、入力映像データの第１個数のフレームに係る処理を行い、当該値が入力映像データが動画であることを示す場合、入力映像データの第２個数のフレームに係る処理を行う。本発明の装置では、第１個数のフレームは、第２個数のフレームと異なり、イメージプロセッサは、処理された第１個数のフレームをグラフィックメモリに出力し、処理された第２個数のフレームをグラフィックメモリに保存せず、処理された第２個数のフレームを出力する。
【手続補正７】
【補正対象書類名】明細書
【補正対象項目名】００１０
【補正方法】変更
【補正の内容】
【００１０】
本発明の映像処理装置、及び、装置によれば、映像処理装置が静止映像及び動画を区分し、静止映像及び動画それぞれに最適化された処理を行うことができるという長所がある。
【手続補正８】
【補正対象書類名】明細書
【補正対象項目名】００１１
【補正方法】変更
【補正の内容】
【００１１】
本発明の映像処理装置、及び、装置によれば、静止映像及び動画を区分し、映像処理装置が静止映像を処理するとき、映像処理を行わないか、あるいは任意個数のフレームのみ使用することにより、または、映像処理装置が動画を処理するとき、メモリへのアクセスを行わないことにより、動画及び静止映像の区分なしに、同一の処理に必要な電力を減らすことができるという長所がある。
【手続補正９】
【補正対象書類名】明細書
【補正対象項目名】００１２
【補正方法】変更
【補正の内容】
【００１２】
本発明の映像処理装置、及び、装置によれば、映像処理装置が動画と静止映像とを区分して処理し、映像処理に所要する消費電流を減らすことにより、映像処理によるＥＭＩ（electromagnetic interference）現象を防止し、映像処理装置または映像処理装置を含む電子装置の誤作動を減らすことができるという長所がある。
【手続補正１０】
【補正対象書類名】明細書
【補正対象項目名】００１３
【補正方法】変更
【補正の内容】
【００１３】
本発明の映像処理装置、及び、装置によれば、映像処理装置が自主的に動画と静止映像とを区分して処理することにより、映像処理装置を制御するプロセッサが動画と静止映像とによる制御を行うために所要するロードを減らし、映像処理に所要する時間を短縮させることができるという長所がある。